(57)【要約】【課題】筐体内のスペースを侵食することなく効果の高いフィルタを設置すること可能なデイスク装置を提供することにある。【解決手段】ディスク装置の筐体は、側壁を有する第１シェルと、第１シェルの側壁に突合わされた側壁を有する第２シェルと、前記第１および第２シェルの側壁によって構成された周壁と、前記周壁に形成された開口部８０とを備えている。筐体内にディスク状の記録媒体、および記録媒体に対して情報処理を行うヘッドが設けられている。筐体の周壁に帯状のシール材１６が巻装され、１および第２シェルの側壁間の隙間および開口部を覆っている。開口部に対向してシール材にフィルタ８２が設けられている。【選択図】      図８
2008034066.tif 000002
【特許請求の範囲】
【請求項１】
側壁を有する第１シェルと、第１シェルの側壁に突合わされた側壁を有する第２シェルと、前記第１および第２シェルの側壁によって構成された周壁と、前記周壁に形成された開口部とを具備した筐体と、
前記筐体内に配設されたディスク状の記録媒体と、
前記筐体内に配設され前記記録媒体に対して情報処理を行うヘッドと、
前記筐体の周壁に巻装され、前記第１および第２シェルの側壁間の隙間および前記開口部を覆った帯状のシール材と、
前記開口部に対向して前記シール材に設けられフィルタと、
を備えたディスク装置。
【請求項２】
前記フィルタは、前記シール材に設けられた呼吸フィルタを有している請求項１に記載のディスク装置。
【請求項３】
前記呼吸フィルタは、前記シール材の外面側に設けられている請求項２に記載のデイスク装置。
【請求項４】
前記呼吸フィルタは、前記開口部を覆って前記シール材の外面に固定され前記開口部に連通する収容部を形成した外皮と、前記収容部内に配設されているとともに、前記外皮に形成された吸気口に連通した一端、および前記収容部内に開口した他端とを有し、前記収容部内を通る流通路を規定した内チューブと、前記収容部内で前記内チューブの周囲に充填された捕集剤と、を備えている請求項３に記載のディスク装置。
【請求項５】
前記呼吸フィルタの外皮および内チューブは、前記シール材と同一材料によって形成されている請求項４に記載のディスク装置。
【請求項６】
前記呼吸フィルタは、前記シール材の内面側に設けられ、前記開口部内に位置している請求項２に記載のディスク装置。
【請求項７】
前記呼吸フィルタは、通気性を有しているとともに前記シール材の内面に固定され内部に収容部を形成した外皮と、前記収容部内に配設され、前記シール材に形成された吸気口に連通した一端および前記収容部内に開口した他端を有し、前記収容部内を通る流通路を規定した内チューブと、前記収容部内で前記内チューブの周囲に充填された捕集剤と、を備えている請求項６に記載のディスク装置。
【請求項８】
前記フィルタは、前記シール材の内面側に設けられ前記開口部内に位置したフローバイ型の循環フィルタを有している請求項１に記載のディスク装置。
【請求項９】
前記筐体の開口部は、前記記録媒体の周縁部と対向して設けられている請求項８に記載のディスク装置。
【請求項１０】
側壁を有する第１シェルと、第１シェルの側壁に突合わされた側壁を有する第２シェルと、前記第１および第２シェルの側壁によって構成された周壁と、前記周壁に形成された複数の開口部とを具備した筐体と、
前記筐体内に配設されたディスク状の記録媒体と、
前記筐体内に配設され前記記録媒体に対して情報処理を行うヘッドと、
前記筐体の周壁に巻装され、前記第１および第２シェルの側壁間の隙間および前記複数の開口部を覆った帯状のシール材と、
それぞれ前記開口部に対向して前記シール材に設けられ複数のフィルタと、
を備えたディスク装置。
【請求項１１】
前記フィルタは、前記シール材に設けられた呼吸フィルタを有している請求項１０に記載のディスク装置。
【請求項１２】
前記フィルタは、前記シール材の内面側に設けられ前記開口部内に位置したフローバイ型の循環フィルタを有している請求項１１に記載のディスク装置。
【請求項１３】
前記フィルタは、それぞれ前記シール材の内面側に設けられ前記開口部内に位置した複数のフローバイ型の循環フィルタを有している請求項１０に記載のディスク装置。
【請求項１４】
前記筐体の複数の開口部は、前記記録媒体の周縁部と対向して設けられている請求項１３に記載のディスク装置。
【請求項１５】
前記筐体は、長手方向の寸法が約３２ｍｍ、幅方向の寸法が約２４ｍｍに形成されている請求項１ないし１４のいずれか１項に記載のディスク装置。
【請求項１６】
前記記録媒体は、直径０．８５インチに形成されている請求項１ないし１５のいずれか１項に記載のディスク装置。
【請求項１７】
前記筐体内に配設され、前記記録媒体を支持しているとともに回転させる駆動モータと、前記筐体内に設けられ、前記ヘッドを前記記録媒体に対して移動させるヘッドアクチュエータと、を備えている請求項１ないし１６のいずれか１項に記載のディスク装置。
【発明の詳細な説明】
【技術分野】
【０００１】
この発明は、記録媒体としてのディスクを有したディスク装置に関する。
【背景技術】
【０００２】
近年、コンピュータの外部記録装置や画像記録装置として磁気ディスク装置、光ディスク装置などのディスク装置が広く用いられている。  
一般に、磁気ディスク装置、例えば、ハードディスクドライブ（以下、ＨＤＤと称する）は、磁気ディスク、磁気ディスクを回転駆動するスピンドルモータ、磁気ディスクに対してデータのリード／ライトを行う磁気ヘッド、磁気ヘッドを支持および移動させるヘッドサスペンションアッセンブリ、このヘッドサスペンションアッセンブリを駆動するＶＣＭ等を備え、これらはほぼ密閉構造の筐体に収容されている。このような密閉構造とした場合、リード／ライト時、磁気ディスクに対する磁気ヘッドの浮上動作を安定させることができるとともに、筐体内への塵、挨等の混入を防止することができる。
【０００３】
上記のように筐体を略密閉構造とした場合、環境温度の急激な変化により、ＨＤＤ内の気圧と外気の空気圧とに差異が生じ、筐体の破損を招く恐れがある。その対策として、筐体には筐体の内外を連通するための通気孔が設けられ、この通気孔には外気からの塵挨、湿気、ガス成分の侵入を防ぐ呼吸フィルタが取り付けられている。例えば、特許文献１に開示された磁気ディスク装置によれば、トップカバーに通気孔が形成され、呼吸フィルタは通気孔と対向してトップカバーの内面に貼り付けられている。また、筐体内には、可動部の稼動によって筐体内に発生した塵埃を捕獲する循環フィルタが配設されている。
【０００４】
一般に、呼吸フィルタは活性炭を用いて構成されている。活性炭は、湿気を吸収するとともに、酸アルカリの中和（イオン）反応を用いてガス成分を捕集する。通気孔を通って筐体内に流入する外気は、呼吸フィルタを通過し、その際、外気中の塵挨、湿気、ガス成分は呼吸フィルタによって捕集される。
【特許文献１】特開２００４−２６５５４５号公報
【発明の開示】
【発明が解決しようとする課題】
【０００５】
近年、磁気ディスク装置は、より多種の電子機器、特に、より小型の電子機器の記録装置として用いることができるように、一層の小型化が進められている。例えば、ディスクの直径が１．８インチ以下の磁気ディスク装置では、筐体の小型化に伴い、筐体内部の設置スペースも小さくなっている。そのため、筐体内部に呼吸フィルタや循環フィルタを設置することが困難になりつつある。特に、呼吸フィルタは、活性炭の量が多いほど、湿気、ガス成分の捕獲能力が高いが、設置スペースの減少に伴い、呼吸フィルタを小型化する必要があり、筐体内部をクリーンに保つ上で障害となる。また、呼吸フィルタおよび循環フィルタの両方を設置する場合、大きな設置スペースを必要とするとともに、装置の組立ても面倒となる。
【０００６】
この発明は以上の点に鑑みなされたもので、その目的は、筐体内のスペースを侵食することなく効果の高いフィルタを設置可能なデイスク装置を提供することにある。
【課題を解決するための手段】
【０００７】
上記目的を達成するため、この発明に係るディスク装置は、側壁を有する第１シェルと、第１シェルの側壁に突合わされた側壁を有する第２シェルと、前記第１および第２シェルの側壁によって構成された周壁と、前記周壁に形成された開口部とを具備した筐体と、前記筐体内に配設されたディスク状の記録媒体と、前記筐体内に配設され前記記録媒体に対して情報処理を行うヘッドと、前記筐体の周壁に巻装され、前記第１および第２シェルの側壁間の隙間および前記開口部を覆った帯状のシール材と、前記開口部に対向して前記シール材に設けられフィルタと、を備えている。
【発明の効果】
【０００８】
この発明によれば、筐体内のスペースを侵食することなく効果の高いフィルタを設置することができ一層の小型化が可能なデイスク装置を提供することができる。
【発明を実施するための最良の形態】
【０００９】
以下図面を参照しながら、この発明の第１の実施形態に係るハードディスクドライブ（以下ＨＤＤと称する）について詳細に説明する。  
図１および図２に示すように、ＨＤＤは後述する種々の部材が収納されたほぼ矩形箱状の筐体１０と、筐体１０の外面に重ねて設けられた矩形状の制御回路基板１２と、を備えている。筐体１０は、長さＬが４ｃｍ以下、例えば、３２ｍｍ、幅Ｗが２４ｍｍに形成され、厚さＴが約３.３ｍｍに形成されている。厚さＴは、収納するディスクの枚数に応じて設定されている。制御回路基板１２は、筐体１０と同一の長さおよび幅に形成されている。
【００１０】
図１、図２、図５に示すように、筐体１０は、互いにほぼ等しい寸法に形成された第１シェル１０ａおよび第２シェル１０ｂを有している。第１および第２シェル１０ａ、１０ｂはそれぞれ金属により形成され、平坦な矩形状の主面と、主面の周縁部に立設された側壁１３ａ、１３ｂとを一体に有している。第１および第２シェル１０ａ、１０ｂは、その側壁１３ａ、１３ｂ同士が突合わされた状態で、互いに対向して配置されている。筐体１０の周壁を構成している第１および第２シェル１０ａ、１０ｂの側壁１３ａ、１３ｂ外面には帯状のシール材１６が全周に渡って巻き付けられ、このシール材によりシェルの側壁が互いに接続されているとともに、側壁間の隙間がシールされている。これにより、矩形箱状の筐体１０が構成されている。
【００１１】
第１シェル１０ａの底面は矩形状の実装面１１を形成している。実装面１１の角を含む筐体１０の４つの角は円弧状に丸めて形成されている。これにより、筐体１０の周縁部に巻装されたシール材１６が、筐体の角で損傷することを防止しているとともに、シール材の浮きによる気密性の悪化を防止している。
【００１２】
図２、図３、および図６ないし図８に示すように、筐体１０の周壁には開口部８０が形成されている。この開口部８０は、第１シェル１０ａの側壁１３ａに形成された切欠き、および第２シェル１０ｂの側壁１３ｂに形成された切欠きを合わせて形成され、側壁１３ａ、１３ｂの境界に跨って形成されている。開口部８０は、筐体１０の周壁に巻装されたシール材１６によって覆われ閉じられている。なお、開口部８０は、側壁１３ａ、１３ｂのいずれか一方のみに形成してもよい。
【００１３】
シール材１６は、ポリエチレンテレフタレート（ＰＥＴ）の薄い板材や、アルミニウム箔等を材料とする気密性の高い基材１６ａと、この基材の裏面に形成された粘着層１６ｂとで構成されている。シール材１６は、粘着層１６ｂにより筐体１０の周壁外面に貼付されている。シール材１６の厚さは３０〜２００μｍ程度、幅ｔは、図５に示すように、筐体１０の厚さＴ、つまり、筐体周壁の幅、よりも狭く、例えば約２ｍｍに形成されている。
【００１４】
図２、図３、および図５に示すように、筐体１０内において、筐体の周縁部には複数の支持ポスト１８が立設されている。各支持ポスト１８は、第１シェル１０ａの内面に固定された基端を有し、第１シェルの内面に対してほぼ垂直に立設されている。各支持ポスト１８の先端は、第２シェル１０ｂの内面に当接している。
【００１５】
筐体１０内には、情報記録媒体として機能する例えば、直径０．８５インチの磁気ディスク２０、この磁気ディスクを支持および回転させる駆動モータとしてのスピンドルモータ２２、磁気ディスクに対して情報の書き込み、読み出しを行なう磁気ヘッド２４、磁気ディスク２０に対して磁気ヘッドを移動自在に支持したキャリッジ２６、キャリッジを回動および位置決めするボイスコイルモータ（以下ＶＣＭと称する）２８、磁気ヘッドが磁気ディスクの周縁部に移動した際、磁気ヘッドを磁気ディスクから離間した位置にアンロードして保持するランプロード機構３０、キャリッジを退避位置に保持する電磁ラッチ３２、およびヘッドＩＣ等を有する基板ユニット３４等が収納されている。
【００１６】
スピンドルモータ２２は、第１シェル１０ａに取り付けられている。スピンドルモータ２２は枢軸３６を有し、この枢軸は第１シェル１０ａの内面に固定され、この内面に対してほぼ垂直に立設されている。枢軸３６の延出端は、第２シェル１０ｂの外側からねじ込まれた固定ねじ３７（図１参照）により第２シェルにねじ止めされている。これにより、枢軸３６は第１および第２シェル１０ａ、１０ｂに両持ち支持されている。
【００１７】
枢軸３６には、図示しない軸受を介してロータが回転自在に支持されている。ロータの第２シェル１０ｂ側の端部は円柱形状のハブ４３を構成し、このハブには、磁気ディスク２０が同軸的に嵌合されている。ハブ４３の端部には、環状のクランプリング４４が嵌合されて、磁気ディスク２０の円周縁部を保持している。これにより、磁気ディスク２０はロータに固定され、ロータと一体的に回転可能に支持されている。
【００１８】
ロータの第１シェル１０ａ側の端部には図示しない環状の永久磁石が固定され、ロータと同軸的に位置している。スピンドルモータ２２は、第１シェル１０ａに取り付けられたステータコア、およびこのステータコアに巻回された複数のコイルを有し、これらステータコアおよびコイルは、永久磁石の外側に隙間を置いて配置されている。
【００１９】
ヘッドアクチュエータを構成するキャリッジ２６は、第１シェル１０ａの内面上に固定された軸受組立体５２を備えている。軸受組立体５２は、第１シェル１０ａの内面に対して垂直に立設された枢軸５３と、一対の軸受を介して枢軸５３に回転自在に支持された円筒形状のハブ５４と、を有している。枢軸５３の延出端は、第２シェル１０ｂの外側からねじ込まれた固定ねじ５６（図１参照）により第２シェルにねじ止めされている。これにより、枢軸５３は第１および第２シェル１０ａ、１０ｂに両持ち支持されている。軸受部として機能する軸受組立体５２は、スピンドルモータ２２に対し、筐体１０の長手方向に並んで配設されている。
【００２０】
図３に示すように、キャリッジ２６は、ハブ５４から延出したアーム５８、アームの先端から延出した細長い板状のサスペンション６０、ハブ５４からアームと反対方向に延出した支持フレーム６２を備えている。サスペンション６０の延出端には、図示しないジンバル部を介して磁気ヘッド２４が支持されている。磁気ヘッド２４はサスペンション６０のばね力により磁気ディスク２０表面に向かって所定のヘッド荷重が印加されている。支持フレーム６２には、ＶＣＭ２８を構成するボイスコイル６４が一体的に固定されている。
【００２１】
キャリッジ２６を軸受組立体５２の回りで回動させるＶＣＭ２８は、第１シェル１０ａ上に固定され互いに隙間を置いて対向した一対のヨーク６３と、一方のヨークの内面に固定されボイスコイルに対向した図示しない磁石と、を備えている。ボイスコイル６４に通電することにより、キャリッジ２６は、図３に示す退避位置と磁気ディスク２０の表面上に位置する動作位置との間を回動し、磁気ヘッド２４は磁気ディスク２０の所望のトラック上に位置決めされる。第１シェル１０ａに固定された電磁ラッチ３２は、退避位置に移動したキャリッジ２６をラッチし、ＨＤＤが衝撃等の外力を受けた際、キャリッジ２６が退避位置から作動位置へ移動することを防止する。
【００２２】
ランプロード機構３０は、第１シェル１０ａの内面に固定され磁気ディスク２０の周縁部に対向したランプ部材７０と、サスペンション６０の先端から延出したタブ７２と、を備えている。ランプ部材７０は板材を折り曲げて形成され、タブ７２が係合可能なランプ面７３を有している。キャリッジ２６が磁気ディスク２０の内周部から磁気ディスク外周の退避位置まで回動すると、タブ７２は、ランプ部材７０のランプ面７３に係合し、その後、ランプ面の傾斜によって引き上げられ、磁気ヘッド２４のアンロード動作を行う。キャリッジ２６が退避位置まで回動すると、タブ７２はランプ部材７０のランプ面７３上に支持され、磁気ヘッド２４は磁気ディスク２０の表面から離間した状態に保持される。第２シェル１０ｂの一部は、第２シェル１０ｂの外側からねじ込まれた固定ねじ５５（図１参照）によりランプ部材７０にねじ止めされている。
【００２３】
基板ユニット３４は、フレキシブルプリント回路基板により形成された本体３４ａを有し、この本体３４ａは第１シェル１０ａの内面に固定されている。本体３４ａ上にはヘッドＩＣ、ヘッドアンプ等の電子部品が実装されている。基板ユニット３４は本体３４ａから延出したメインフレキシブルプリント回路基板（以下、メインＦＰＣと称する）３４ｂを有している。メインＦＰＣ３４ｂの延出端は、キャリッジ２６の軸受組立体５２近傍に接続され、更に、アーム５８およびサスペンション６０上に設けられた図示しないケーブルを介して磁気ヘッド２４に電気的に接続されている。基板ユニット３４の本体底面には制御回路基板１２と接続するためのコネクタ３４ｃが実装されている。このコネクタ３４ｃは、第１シェル１０ａに形成された開孔を介して第１シェルの実装面１１に露出している。
【００２４】
図２および図４に示すように、プリント回路基板からなる制御回路基板１２は筐体１０の実装面１１とほぼ等しい長さおよび幅を有した矩形状を有している。筐体１０の実装面１１には、スピンドルモータ２２に対応した円形の凸部７０ａ、および軸受組立体５２に対応した円形の凸部７０ｂがそれぞれ形成されている。制御回路基板１２には、これらの凸部７０ａ、７０ｂにそれぞれ対応した円形の開口７２ａ、７２ｂが形成されている。制御回路基板１２の４つの角部は、それぞれ斜めに、例えば、各辺に対して４５度の角度で斜めに切欠かれ、それぞれ切欠き部７７を形成している。制御回路基板１２の内面上、つまり、筐体１０と対向する面上には、複数の電子部品７４、およびコネクタ７１が実装されている。また、制御回路基板１２にはＨＤＤを外部機器と電気的に接続するためのフレキシブルプリント回路基板７６が接続されている。フレキシブルプリント回路基板７６は制御回路基板１２の一方の短辺から外方に引き出され、その延出端には複数の接続端子７５が形成されている。
【００２５】
上記構成の制御回路基板１２は、筐体１０の実装面１１に重ねて配置され、複数のねじにより第１シェル１０ａにねじ止めされている。この際、制御回路基板１２は、４つの辺が実装面１１の４辺とそれぞれ整列した状態、つまり、実装面１１の４辺と一致した状態で配置されている。実装面１１に形成された凸部７０ａ、７０ｂは、それぞれ制御回路基板１２の開口７２ａ、７２ｂ内に配置されている。制御回路基板１２上に実装されたコネクタ７１は、基板ユニット３４のコネクタに接続される。
【００２６】
制御回路基板１２の４つの角部に形成された切欠き部７７は、それぞれ実装面１１の４つの角部に位置している。これにより、実装面１１の４つの角部は制御回路基板１２によって覆われることなく外部に露出している。実装面１１の露出した４つの角部を含む筐体１０の角部は、制御回路基板１２に接触することなく筐体を保持するための保持部７８をそれぞれ構成している。
【００２７】
図２、および図６ないし図８に示すように、筐体１０の周壁には、筐体１０内部と外部とを連通した開口部８０が形成されている。本実施形態において、開口部８０は、筐体１０の周壁の内、磁気ディスク２０から離間した短辺部に形成されている。図１および図６ないし図８に示すように、シール材１６には開口部８０を覆ってフィルタが設けられている。ここでは、フィルタとして、開口部８０を通して筐体１０内に流入する外気から塵挨、湿気、ガス成分等を除去する呼吸フィルタ８２が設けられている。
【００２８】
呼吸フィルタ８２は、シール材１６の外面側に設けられている。呼吸フィルタ８２は、開口部８０を覆ってシール材１６の外面に固定され開口部に連通する収容部８３を形成した外皮８４と、収容部部内に配設され収容部内を通る流通路８５を規定した内チューブ８６と、収容部内で内チューブの周囲に充填された捕集剤８７と、を有している。内チューブ８６は、外皮８４に形成された吸気口８８に連通した一端、および収容部８３内に開口した排気口８１が設けられた他端を有し、収容部８３内を、シール材１６の長手方向に沿って、かつ、開口部８０から遠ざかる方向に延出している。シール材１６において開口部８０と対向する位置には、呼吸口８９が形成されている。収容部８３は、シール材１６の呼吸口８９および筐体１０の開口部８０を通して筐体内部と連通している。
【００２９】
外皮８４および内チューブ８６は、気密性の高い材料、例えば、シール材１６と同一のＰＥＴで形成されている。これらの外皮８４および内チューブ８６はシール材１６の基材１６ａと一体に形成されてもよい。収容部８３内に充填された捕集剤８７として、例えば、粒子状の活性炭が用いられている。捕集剤８７としては、湿度を調整する活性炭の他、腐食性のガスを捕獲する素材等、捕獲目的に応じて、アルミナ粒、繊維状物質等を用いることができる。
【００３０】
筐体１０の内外で気圧差が発生し、筐体外部から筐体内の閉空間へ外気が流れ込む場合、吸気口８８から呼吸フィルタ８２内に流入した外気は、内チューブ８６内の流通路８５をゆっくりと通過し、排気口８１から収容部８３内に流出する。流通路を通る際、外気中の塵埃等は内チューブ８６内面に付着し捕獲される。また、収容部８３内に流出した外気は、捕集剤８７の周囲を通って流れ、その際、外気中の湿気、ガス成分が捕集剤８７によって捕獲される。そして、クリーンとなった外気は、シール材１６の呼吸口８９および筐体１０の開口部８０から筐体１０内に排気される。なお、内チューブ８６は通気性を材料で形成してもよく、この場合、流通路８５を流れる外気は、排気口８１および内チューブ８６の壁面を通して収容部８３内に流入する。
【００３１】
フィルタ機能の低下を抑制するには、捕集剤８７にまで到達する外気の流量を調整する必要がある。流通路８５の長さ、径を調整することにより、外気の流量を調整し、ＨＤＤが必要とする流量に合わせることが望ましい。
【００３２】
以上のように構成されたＨＤＤによれば、開口部８０を通して筐体１０内に流入する外気中の塵埃、湿気、ガス成分等を呼吸フィルタ８２により捕獲することができる。これにより、筐体１０内のクリーン度を上げ、信頼性の向上を図ることが可能となる。呼吸フィルタのようなフィルタは、体積、または面積に比例して、その効果が向上する。上記構成によれば、フィルタをシール材１６に設け筐体１０の外側に設置することにより、筐体内部のスペースを侵食することなく、フィルタを大型化し、効果の高い大きなフィルタを構成することができる。従って、呼吸フィルタ８２の捕集剤８７の量を十分に確保し、捕獲能力の向上を図ることができ、その結果、筐体１０内のクリーン度を上げることが可能となる。
【００３３】
呼吸フィルタ８２およびシール材１６を一体に形成することにより、両機能を持ち合わせた１部品を磁気ディスク装置へ取り付けることができる。そのため、フィルタおよびシール材を２部品別々に磁気ディスク装置へ取り付ける場合と比較して、製造工程を減少させることができる。
【００３４】
また、呼吸フィルタは開封された状態から機能し始め、一定期間、機能を発揮する。製造工程においても、可能な限りフィルタの開封と取り付けを後工程にすることが望ましい。通常、磁気ディスク装置内の部品を第１シェルに取り付け、最後に第２シェルを取り付けた後に、シール材１６を筐体に貼り付けるものであり、必然的にシール材は工程の最後に取り付けることになる。したがって、シール材にフィルタを設けることにより、製造工程におけるフィルタの劣化を抑制することが可能となる。  
以上のことから、信頼性の高く筐体内のクリーン度が向上した小型のディスク装置が得られる。
【００３５】
次に、図９、図１０、図１１を参照して、この発明の第２の実施形態に係るＨＤＤについて説明する。  
図９に示すように、第２の実施形態によれば、ＨＤＤの筐体１０は、周壁の内、長辺部に形成された開口部８０を有している。この開口部８０は、磁気ディスク２０の周縁部と隣接対向して位置している。筐体１０の周壁外面には、全周に渡ってシール材１６が巻装され、開口部８０は、シール材１６によって覆われ閉じられている。
【００３６】
図９ないし図１１に示すように、シール材１６には開口部８０を覆ってフィルタが設けられている。ここでは、フィルタとして、開口部８０を通して筐体１０内に流入する外気から塵挨、湿気、ガス成分等を除去する呼吸フィルタ８２が設けられている。
【００３７】
呼吸フィルタ８２は、シール材１６の内面側に設けられ、開口部８０内に位置している。呼吸フィルタ８２は、通気性を有しているとともにシール材の内面、ここでは、基材１６ａの内面に固定され内部に収容部を形成した外皮８４と、収容部部内に配設され収容部内を通る流通路８５を規定した内チューブ８６と、収容部内で内チューブの周囲に充填された捕集剤８７と、を備えている。内チューブ８６は、シール材１６に形成された吸気口８８に連通した一端、および収容部８３内に開口した排気口８１が設けられた他端を有し、収容部８３内を、シール材１６の長手方向に沿って、かつ、吸気口８８から遠ざかる方向に延出している。
【００３８】
外皮８４は、例えば、ポリテトフルオロエチレン等の通気性を有する材料により形成され、内チューブ８６はＰＥＴ等の気密性の高い材料で形成されている。収容部８３内に充填された捕集剤８７として、例えば、粒子状の活性炭が用いられている。捕集剤８７としては、湿度を調整する活性炭の他、腐食性のガスを捕獲する素材等、捕獲目的に応じて、アルミナ粒、繊維状物質等を用いることができる。本実施形態において、呼吸フィルタ８２の厚さは、筐体１０の周壁の厚さよりも小さく形成されている。
【００３９】
筐体１０の内外で気圧差が発生し、筐体外部から筐体内の閉空間へ外気が流れ込む場合、吸気口８８から呼吸フィルタ８２内に流入した外気は、内チューブ８６内の流通路８５をゆっくりと通過し、排気口８１から収容部８３内に流出する。流通路を通る際、外気中の塵埃等は内チューブ８６内面に付着し捕獲される。また、収容部８３内に流出した外気は、捕集剤８７の周囲を通って流れ、その際、外気中の湿気、ガス成分が捕集剤８７によって捕獲される。そして、クリーンとなった外気は、通気性を有した外皮８４および筐体１０の開口部８０を通して筐体１０内に排気される。
【００４０】
第２の実施形態において、ＨＤＤの他の構成は前述した第１の実施形態と同一であり、同一の部分には同一の参照符号を付してその詳細な説明を省略する。第２の実施形態に係るＨＤＤによれば、呼吸フィルタ８２はシール材１６に設けられ、筐体１０の開口部８０内に配置されている。これにより、呼吸フィルタ８２は、筐体の壁厚分だけ筐体の外側に設けられている。そのため、筐体内部のスペースを侵食することなく、フィルタを大型化し、効果の高い大きなフィルタを構成することができる。その他、第２の実施形態においても、前述した第１の実施形態と同様の作用効果を得ることができる。
【００４１】
シール材に設けられたフィルタは、呼吸フィルタに限らず、循環フィルタとしてもよい。図１２、図１３、図１４に示すように、発明の第３の実施形態に係るＨＤＤによれば、フィルタとして、フローバイ型の循環フィルタ９０が設けられている。
【００４２】
詳細に述べると、図１２および図１３に示すように、ＨＤＤの筐体１０は、周壁の内、２つの長辺部および１つの短辺部にそれぞれ形成された３つの開口部８０を有している。これらの開口部８０は、磁気ディスク２０の周縁部と隣接対向して位置しているとともに、ディスク表面の高さを含む高さ位置に形成されている。筐体１０の周壁外面には、全周に渡ってシール材１６が巻装され、３つの開口部８０は、シール材１６によって覆われ閉じられている。
【００４３】
図１２ないし図１４に示すように、シール材１６には各開口部８０を覆ってフローバイ型の循環フィルタ９０が設けられている。各循環フィルタ９０は、シール材１６の内面側に設けられ、対応する開口部８０内に位置している。３つの循環フィルタ９０は、磁気ディスク２０を囲んで設けられ、磁気ディスクの外周縁と対向している。循環フィルタ９０は、可動部の稼動によって筐体１０内に発生した塵埃を捕獲する。特に、循環フィルタ９０は、ディスク回転による遠心力でディスク上から飛ばされたゴミを効率良く捕らえることができる。
【００４４】
図１４に示すように、各循環フィルタ９０は、シート状のベース材９２と、ベース材上に設けられた繊維状の捕獲材９４とを有している。ベース材９２はシール材１６の内面に接着されている。捕獲材９４は、例えば、ポリプロピレンにより形成されている。このように構成された循環フィルタ９０は、筐体１０内の空気流に含まれる塵埃を捕獲材９４により捕獲して保持する。
【００４５】
第３の実施形態において、ＨＤＤの他の構成は前述した第１の実施形態と同一であり、同一の部分には同一の参照符号を付してその詳細な説明を省略する。第３の実施形態に係るＨＤＤによれば、筐体１０内の空気流に含まれる塵埃を循環フィルタ９０により捕獲することができる。これにより、筐体１０内クリーン度を上げ、信頼性の向上を図ることが可能となる。循環フィルタ９０はシール材１６に設けられ、筐体１０の開口部８０内に配置されている。そのため、循環フィルタ９０は、筐体の壁厚分だけ筐体の外側に設けられている。従って、筐体内部のスペースを侵食することなく、フィルタを大型化し、効果の高い大きなフィルタを構成することができる。その他、第３の実施形態においても、前述した第１の実施形態と同様の作用効果を得ることができる。
【００４６】
ＨＤＤは、フィルタとして、呼吸フィルタおよび循環フィルタの両方を備えていてもよい。図１５に示すように、発明の第４の実施形態に係るＨＤＤによれば、ＨＤＤの筐体１０は、周壁の内、２つの長辺部および１つの短辺部にそれぞれ形成された３つの開口部８０を有している。長辺部に設けられた２つの開口部８０ａは、磁気ディスク２０の周縁部と隣接対向して位置しているとともに、ディスク表面の高さを含む高さ位置に形成されている。短辺部に設けられた開口部８０ｂは、磁気ディスク２０から離間して位置している。
【００４７】
筐体１０の周壁外面には、全周に渡ってシール材１６が巻装され、３つの開口部８０ａ、８０ｂは、シール材１６によって覆われ閉じられている。シール材１６の内面側には、２つのフローバイ型の循環フィルタ９０が設けられ、それぞれ開口部８０ａ内に位置している。また、シール材１６の内面側には呼吸フィルタ８２が設けられて、開口部８０ｂ内に位置している。循環フィルタ９０の構成は、図１４に示した第３の実施形態における循環フィルタと同一であり、呼吸フィルタ８２の構成は、図１０に示した第２の実施形態における呼吸フィルタと同一である。
【００４８】
第４の実施形態において、ＨＤＤの他の構成は前述した第１の実施形態と同一であり、同一の部分には同一の参照符号を付してその詳細な説明を省略する。第４の実施形態に係るＨＤＤによれば、筐体１０内の空気流に含まれる塵埃を循環フィルタ９０により捕獲することができ、また、呼吸フィルタ８２により、開口部８０ｂを通して筐体１０内に流入する外気から塵挨、湿気、ガス成分等を除去することができる。これにより、筐体１０内クリーン度を上げ、信頼性の向上を図ることが可能となる。その他、第４の実施形態においても、第１の実施形態と同様の作用効果を得ることができる。
【００４９】
本発明は上記実施形態そのままに限定されるものではなく、実施段階ではその要旨を逸脱しない範囲で構成要素を変形して具体化できる。また、上記実施形態に開示されている複数の構成要素の適宜な組み合わせにより、種々の発明を形成できる。例えば、実施形態に示される全構成要素から幾つかの構成要素を削除してもよい。さらに、異なる実施形態にわたる構成要素を適宜組み合わせてもよい。  
呼吸フィルタおよび循環フィルタの構成材料は、前述した実施形態に限らず、必要に応じて適宜変更可能である。磁気ディスクの枚数は１枚に限らず、必要に応じて増加可能である。ヘッドは１つに限らず必要に応じて増加可能である。磁気ディスクは、０．８５インチに限らず、１インチ、１．８インチ、あるいは他の径としてもよい。
【図面の簡単な説明】
【００５０】
【図１】図１は、この発明の第１の実施形態に係るＨＤＤを示す斜視図。
【図２】図２は、前記ＨＤＤの分解斜視図。
【図３】図３は、前記ＨＤＤの筐体および内部構造を示す平面図。
【図４】図４は、前記ＨＤＤの背面側を示す斜視図。
【図５】図５は、図１の線Ａ−Ａに沿ったＨＤＤの断面図。
【図６】図６は、前記ＨＤＤの呼吸フィルタを拡大して示す正面図。
【図７】図７は、図６の線Ｂ−Ｂに沿った前記フィルタ部分の断面図。
【図８】図８は、図６の線Ｃ−Ｃに沿った前記フィルタ部分の断面図。
【図９】図９は、この発明の第２の実施形態に係るＨＤＤを示す平面図。
【図１０】図１０は、第２の実施形態に係るＨＤＤの呼吸フィルタを示す断面図。
【図１１】図１１は、図１０の線Ｄ−Ｄに沿った前記フィルタ部分の断面図。
【図１２】図１２は、この発明の第３の実施形態に係るＨＤＤを示す平面図。
【図１３】図１３は、図１２の線Ｅ−Ｅに沿ったＨＤＤの断面図。
【図１４】図１４は、第３の実施形態に係るＨＤＤの循環フィルタを示す断面図。
【図１５】図１５は、この発明の第４の実施形態に係るＨＤＤを示す平面図。
【符号の説明】
【００５１】
１０…筐体、１０ａ…第１シェル、１０ｂ…第２シェル、１２…制御回路基板、
１３ａ、１３ｂ…側壁、１６…シール材、２０…磁気ディスク、
２２…スピンドルモータ、２４…磁気ヘッド、２６…キャリッジ、２８…ＶＣＭ、
３４…基板ユニット、８０、８０ａ、８０ｂ…開口部、８２…呼吸フィルタ、
８３…収容部、８４…外皮、８６…内チューブ、８７…捕集剤、８８…吸気口、
９０…循環フィルタ、ベース材、  ９２…捕獲材
【図１】
2008034066.tif 000003
【図２】
2008034066.tif 000004
【図３】
2008034066.tif 000005
【図４】
2008034066.tif 000006
【図５】
2008034066.tif 000007
【図６】
2008034066.tif 000008
【図７】
2008034066.tif 000009
【図８】
2008034066.tif 000010
【図９】
2008034066.tif 000011
【図１０】
2008034066.tif 000012
【図１１】
2008034066.tif 000013
【図１２】
2008034066.tif 000014
【図１３】
2008034066.tif 000015
【図１４】
2008034066.tif 000016
【図１５】
2008034066.tif 000017